(57)【要約】【課題】  ランドセル本体内に収納される教科書等の重量に耐えられる強くて軽い底板部材を備えるランドセルを提供する。【解決手段】  上方に開口した箱状のランドセル本体２と、ランドセル本体の後面側に設けられる左右の肩ベルト４と、ランドセル本体の後面側上端に繋がって設けられ、ランドセル本体の開口を開閉可能に覆う蓋部材３とを備えてランドセルが構成される。このランドセルは、ランドセル本体の内部底面に配設される平板状の底板部材２００を備え、底板部材の下面にハニカム構造の補強リブ２１０が一体形成されている。【選択図】図１２
2020103505.tif 000002
【特許請求の範囲】
【請求項１】
上方に開口した箱状のランドセル本体と、
前記ランドセル本体の後面側に設けられる左右の肩ベルトと、
前記ランドセル本体の後面側上端に繋がって設けられ、前記ランドセル本体の開口を開閉可能に覆う蓋部材とを備えるランドセルにおいて、
前記ランドセル本体の内部底面に配設される平板状の底板部材を備え、
前記底板部材の下面にハニカム構造の補強用のリブが一体形成されていることを特徴とするランドセル。
【請求項２】
前記底板部材は、前記ランドセル本体の底面部の芯材上に重ねられて止着固定されることを特徴とする請求項１に記載のランドセル。
【請求項３】
前記底板部材の上面はフラットに形成されていることを特徴とする請求項１もしくは２に記載のランドセル。
【請求項４】
前記ランドセル本体の外部底面に配設され、前記ランドセル本体の開口を閉じた状態で前記蓋部材を係止保持する錠前装置を備え、
前記錠前装置は、前記錠前装置の裏面から突出する突出部を有し、前記突出部の端部を前記ランドセルの底面内に入り込ませた状態で取り付けられ、
前記底板部材の下面に、前記錠前装置の前記突出部の端部が挿入されて前記端部の周囲を囲む壁部が形成されていることを特徴とする請求項１〜３のいずれかに記載のランドセル。
【発明の詳細な説明】
【技術分野】
【０００１】
本発明は、ランドセル本体内に底板部材を備えるランドセルに関する。
【背景技術】
【０００２】
ランドセルは、上方に開口した箱状のランドセル本体（大マチ）と、ランドセル本体の後面側に設けられる左右の肩ベルトと、ランドセル本体の開口を覆う蓋部材（かぶせ）と、蓋部材の先端部をランドセル本体に係止保持する錠前装置とを備えて構成されている。さらに、蓋部材を開けたときに露出するランドセル本体の前面側に、ランドセル本体よりも小容量の収納部（中マチ）と、ファスナー開閉式の前ポケットとが配設されることが一般的である。ランドセル本体の内部には平板状の底板部材が配設されており、この底板部材により教科書等の重量を受け止めて、ランドセルの耐久性を向上させたものも知られている（例えば、特許文献１を参照）。
【先行技術文献】
【特許文献】
【０００３】
【特許文献１】実登第３０２６４５６号
【発明の概要】
【発明が解決しようとする課題】
【０００４】
近年、小学生の教科書のページ数が増え、且つＡ４サイズファイルを用いることが多くなっており、これらにも収納できるようにするため、ランドセル本体（大マチ）が大型化（大容量化）している。そのため、ランドセル本体内への収納物の重量も増えており、ランドセル本体内に配設される底板部材には、そのような重量にも耐えられる強くて軽いものが求められる。
【０００５】
本発明は、このような課題に鑑みてなされたものであり、ランドセル本体内に収納される教科書等の重量に耐えられる強くて軽い底板部材を備えるランドセルを提供することを目的とする。
【課題を解決するための手段】
【０００６】
上記目的を達成するため、本発明に係るランドセルは、上方に開口した箱状のランドセル本体と、前記ランドセル本体の後面側に設けられる左右の肩ベルトと、前記ランドセル本体の後面側上端に繋がって設けられ、前記ランドセル本体の開口を開閉可能に覆う蓋部材とを備える。その上で、前記ランドセル本体の内部底面に配設される平板状の底板部材を備え、前記底板部材の下面にハニカム構造の補強用のリブ（例えば、実施形態における補強リブ２１０）が一体形成されていることを特徴とする。
【０００７】
また、上記構成のランドセルにおいて、前記底板部材は、前記ランドセル本体の底面部の芯材上に重ねられて止着固定されていることが好ましい。
【０００８】
さらに、上記構成のランドセルにおいて、前記底板部材の上面はフラットに形成されていることが好ましい。
【０００９】
加えて、上記構成のランドセルにおいて、前記ランドセル本体の外部底面に配設され、前記ランドセル本体の開口を閉じた状態で前記蓋部材を係止保持する錠前装置を備え、前記錠前装置は、前記錠前装置の裏面から突出する突出部（例えば、実施形態における錠前装置１０の機構収容壁部１１ｂ）を有し、前記突出部の端部を前記ランドセルの底面内に
入り込ませた状態で取り付けられ、前記底板部材の下面に、前記錠前装置の前記突出部の端部が挿入されて前記端部の周囲を囲む壁部（例えば、実施形態における枠状壁部２１５）が形成されていることが好ましい。
【発明の効果】
【００１０】
本発明に係るランドセルによれば、ランドセル本体内に配設される平板状の底板部材の下面にハニカム構造のからなる補強用のリブが一体形成されている。そのため、底板部材の厚みや重量を大幅に大きくすることなく、また、不要に高価な材料を用いることなく、当該リブにより底板部材の強度を全体的に平均して強くすることができる。従って、ページ数が増えて重量が増した教科書等の重量をしっかりと受け止めることができる強くて軽い底板部材を備えるランドセルとすることができる。
【００１１】
また、上記構成のランドセルにおいて、好ましくは、底板部材が、ランドセル本体の底面部の芯材上に重ねられて止着固定されている。このような構成とすれば、サンドイッチ構造近似の強度を実現することができる。
【００１２】
さらに、上記構成のランドセルにおいて、好ましくは、底板部材の上面がフラットに形成されている。このような構成とすれば、底板部材のフラットな上面によりランドセル本体内に収納された教科書等が引っかかったり折れ曲がったりすることなく、使い勝手のよいランドセルとすることができる。
【００１３】
加えて、上記構成のランドセルにおいて、好ましくは、底板部材の下面に、錠前装置の裏面から突出する突出部の端部が挿入されて前記端部の周囲を囲む壁部が形成されている。このような構成とすれば、底板部材の壁部により錠前装置の突出部の周囲が囲まれるため、当該突出部に外部から異物等が侵入することを防ぐことができる。
【図面の簡単な説明】
【００１４】
【図１】本発明に係るランドセルの側面図で、肩ベルトを省略した図である。
【図２】本発明に係るランドセルの底面図である。
【図３】本発明に係るランドセルの背面図である。
【図４】本発明に係るランドセルへの錠前装置の取り付けを説明する背面図で、肩ベルトを省略した図である。
【図５】本発明に係るランドセルの蓋部材を開けた状態の正面図である。
【図６】本発明に係るランドセルのランドセル本体の基本構成を説明する分解斜視図である。
【図７】本発明に係るランドセルに設けられる補強板の正面図である。
【図８】上記補強板の背面図である。
【図９】上記補強板の装着姿勢を前方から見た斜視図である。
【図１０】上記補強板の装着姿勢を後方から見た斜視図である。
【図１１】本発明に係るランドセルに設けられる底板部材の平面図である。
【図１２】上記底板部材の底面図である。
【発明を実施するための形態】
【００１５】
以下、図面を参照して本発明の実施形態について説明する。なお、本実施形態では、図１および図２に示す各矢印の方向をそれぞれ、上下方向、前後方向、左右方向として説明する。本発明の実施形態に係るランドセル１は、図１〜図３に示すように、教科書、ノートおよびファイル等を収納するための上方に開口した幅広矩形箱状のランドセル本体２（大マチ）と、ランドセル本体２の後面側上端に繋がって設けられた蓋部材３（かぶせ）と、ランドセル本体２の後面側から下方に延びて設けられた腕を通し肩へかけて背負うための左右の肩ベルト４と、ランドセル本体２の底面外側に設けられた錠前装置１０とを有し
ている。
【００１６】
ランドセル本体２は、矩形状の前面部２ａと、上下に延びる矩形状の左右の側面部２ｂ，２ｃと、矩形状の後面部２ｄと、矩形状の底面部２ｅとから、上面が開口した略直方体形状に形成されており、Ａ４クリアファイルおよび、Ａ４クリアファイルよりもひとまわり大きなＡ４フラットファイルも丸まらずに収納できる容量に構成されている。ランドセル本体２の前面部２ａ（蓋部材３により覆われる部分）には、ランドセル本体２（大マチ）よりも低背で、小容量の上方に開口した箱状の収納部５（中マチ）が設けられている。収納部５の前面部には前ポケット６が設けられている。前ポケット６は、左右側面および上面に亘ってファスナー２５が設けられ、このファスナー２５により開閉可能になっている。
【００１７】
前ポケット６の上方位置には、ランドセル本体２および収納部５の左右側面、並びに収納部５の前面に亘って帯状の前締ベルト２０が設けられている。前締ベルト２０の上下には反射材が設けられており、この反射材が夜道等で自動車のライトに反射して光るようになっている。ランドセル本体２の左右側面に位置する前締ベルト２０にはそれぞれ、給食袋等を吊り下げることが可能な第１吊り金具２１（ナスカン）が設けられている。
【００１８】
ランドセル本体２の底面部２ｅには、錠前装置１０を取り付けるために、上下貫通した取付孔２ｈが形成されている。この取付孔２ｈは、錠前装置１０の後述する本体プレート１１の裏面から突出する機構収容壁部１１ｂの外形形状に対応する形状になっている。ランドセル本体２の後面部２ｄ（背負ったときに背中が接する部分（背当て））の上部には、左右の肩ベルト４とランドセル本体２を繋ぐベルト接合機構２６（背カン）と、半円状の持ち手部材２７とが設けられている。ベルト接合機構２６により接合された左右の肩ベルト４の上端部はそれぞれ独立して左右方向に動くようになっている。
【００１９】
蓋部材３は、ランドセル本体２の後面部２ｄの上端に取り付けられ、ランドセル本体２および収納部５の上端開口を覆い、前ポケット６の前面側下端まで延びる平板状（可撓性を有する平板状）に形成されている。蓋部材３の下端側には、ランドセル本体２の底面部２ｅまで延びる略Ｖ字形状の蓋延長部材３ａ（ベロ）が設けられている。蓋延長部材３ａの先端部に係止金具７（サガリ）が設けられている。蓋部材３の内面には、メッシュ状のシート部材（図示略）が設けられ、そのシート部材と蓋部材３の内面との間に、小学校の時間割表等を視認可能に挿入することができるようになっている。
【００２０】
左右の肩ベルト４はそれぞれ、ランドセル本体２の後面部２ｄ（背当て）の上部にベルト接合機構２６（背カン）を介して取り付けられた上ベルト４ａと、ランドセル本体２の底面部２ｅに下部金具９（ダルマカン）を介して取り付けられた下ベルト４ｂとを有し、上下のベルト４ａ，４ｂが連結金具８により連結される。左右の肩ベルト４はそれぞれ、上ベルト４ａに８個の調節穴が形成されており、これらの調節穴に対して連結金具８の連結位置を移動させることにより肩ベルト４の長さを８段階調節することができるようになっている。左右の上ベルト４ａには、防犯ブザーやキーホルダー等を吊り下げることが可能な第２吊り金具２２（小ナスカン）および第３吊り金具２３（Ｄカン）がそれぞれ設けられている。
【００２１】
錠前装置１０は、図４にも示すように、矩形平板状の本体プレート１１と、本体プレート１１の中央部に回動自在に設けられた操作部材１２とを有している。本体プレート１１の内部には、蓋延長部材３ａに取り付けられた係止金具７を係止保持する係止保持位置および係止解除する解除位置との間で回動可能に操作部材１２を支持する支持機構１５が設けられている。支持機構１５は、係止金具７が操作部材１２と係合するようにセットされると、この係止金具７により本体プレート１１の表面から突出した作動シャフト１５ａが
押され、図外のバネおよび磁石の作用により、操作部材１２を係止保持位置（図２に示す位置）に回動させるように構成されている。本体プレート１１の裏面（上面）には、支持機構１５の本体プレート１１の裏面から突出した部分の周囲を囲む機構収容壁部１１ｂが形成されている。
【００２２】
本体プレート１１の表面（下面）には、その表面略全域に亘る凹状のプレート収容凹部が形成されている。このプレート収容凹部に、アルミニウム製の平板状の装飾プレート３０が挿着され、本体プレート１１の表面に装飾プレート３０が設けられるようになっている。装飾プレート３０の表面はメタリック加工が施されている。なお、装飾プレート３０は、他の色や模様などが施された装飾プレートや、他の材料によって形成された装飾プレート（例えば、樹脂製プレート等）に適宜取り替え可能である。
【００２３】
錠前装置１０は、本体プレート１１の裏面から突出した機構収容壁部１１ｂがランドセル本体２に形成された取付孔２ｈに挿入されて、機構収容壁部１１ｂをランドセル本体２の底面部２ｅの内部に入り込ませた状態でランドセル本体２の底面部２ｅに取り付けられる（図１を参照）。錠前装置１０は、装飾プレート３０および樹脂製の円盤形状のリンプ部材３５，３５が本体プレート１１の表面に配設され、左右のリンプ部材３５の表面にそれぞれ下部金具９（ダルマカン）が配設される。そして、下部金具９、リンプ部材３５、本体プレート１１にそれぞれ形成された図外のピン挿通孔に挿入される取付ピン１８（リベット）により、錠前装置１０がランドセル本体２の底面部２ｅに取り付けられるようになっている。
【００２４】
このようなランドセル１におけるランドセル本体２の製造過程について簡単に説明する。まず、図６に示すように、樹脂製の板材（芯材）の外側面を皮革などで覆った長方形状の第１ボードＢ１を皮革が外側に位置するようにコの字状に折り曲げてランドセル本体２の左右側面部２ｂ，２ｃおよび底面部２ｅとなる部材を形成する。そして、この第１ボードＢ１の前面側に、ランドセル本体２の前面部２ａを成す樹脂製の板材（芯材）の一面を皮革などで覆った長方形状の第２ボードＢ２を貼り合せる。さらに第１ボードＢ１の後面側に背当てとなる後面部２ｄ（図示略）を貼り合せて、上面が開口した直方体状の部材が形成され、これがランドセル本体２のベースとなる。なお、前面部２ａの前面側に、後面側および上面が開口した箱状の収納部５（中マチ）が取り付けられる。この収納部５の前面にはファスナー２５により開閉可能な前ポケット６が取り付けられており、このように前ポケット６が取り付けられた収納部５が、ランドセル本体２の前面部２ａの前面に取り付けられる。さらに、ランドセル本体２の底面部２ｅの上に、後述する底板部材２００が取り付けられる。
【００２５】
このようにして形成されるランドセル本体２は、上記のようにＡ４フラットファイルも収納可能な大容量に構成されており、特に上端開口部の強度不足が問題となりやすい。そこで、ランドセル本体２の上端開口部の潰れや型崩れを防ぐため、ランドセル本体２の左右側面部２ｂ，２ｃおよび前面部２ａを成す第１および第２ボードＢ１，Ｂ２の上端側（上端開口の外周部）に亘って補強板１００が配設される。
【００２６】
補強板１００は、図７〜図１０に示すように、例えばＡＢＳ樹脂等の硬質合成樹脂によって作られた細長い薄板部材から構成される。補強板１００は、ランドセル本体２の前面部２ａに配設される前板部１１０と、ランドセル本体２の左右側面部２ｂ，２ｃに配設される左側板部１２０および右側板部１３０とを有し、前板部１１０の左右端部にそれぞれ左右の側板部１２０，１３０が繋がって一体構成になっている。左右の側板部１２０，１３０は左右対称の同一形状になっている。前板部１１０および左右の側板部１２０，１３０はそれぞれ、樹脂製の薄板形状であり、その材質および形状に基づいた所定の強度および弾性を備えている。前板部１１０と左右の側板部１２０，１３０との接合部にはそれぞ
れ、折曲しやすくするための複数のスリット１０５、この実施の形態においては上下方向に延びる３本のスリット１０５が左右方向に並んで形成されている。補強板１００は、これらのスリット１０５により左右の側板部１２０，１３０を前板部１１０に対して略９０度折り曲げることが可能になっており、且つその折り曲げた状態を保持できるようになっている。補強板１００は、このように折り曲げた状態でランドセル本体２の左右側面部２ｂ，２ｃおよび前面２ａに亘って配設される。
【００２７】
前板部１１０は、ランドセル本体２の前面部２ａにおける収納部５の上方スペースに配設できるように上下幅が小さく、且つランドセル本体２の左右寸法ほぼ全長に対応して左右方向に長い薄板形状になっている（図５も参照）。前板部１１０の後面（ランドセル本体２に接する面）には、前板部１１０の左右端部近傍まで左右方向に延びる溝状の第１凹部１１１が形成されている。この第１凹部１１１には、グラスファイバー製の棒状の強化部材１５０が装着可能になっている。第１凹部１１１の左右および中央の３箇所にはそれぞれ、上下一対の係止爪１１５が形成されており、これらの係止爪１１５により強化部材１５０が第１凹部１１１内に着脱可能に配設される。このように第１凹部１１１内に配設される強化部材１５０により、前板部１１０の強度および弾性が強められ、いわゆる繊維強化プラスチック（ガラス繊維強化プラスチック）とほぼ近いように、前板部１１０が補強されている。前板部１１０の後面左右端側には、左右方向に延びた略三角形状の第２凹部１１２および第３凹部１１３がそれぞれ形成されている（肉盗み）。このように第１〜第３凹部１１１〜１１３が形成されるため、前板部１１０の前面側にはこれらの凹部１１１〜１１３に対応した凸部が形成されている。
【００２８】
左右の側板部１２０，１３０はそれぞれ、前板部１１０よりも上下幅が大きく、且つランドセル本体２の前後寸法（奥行）に対応した長さの薄板形状になっている（図１も参照）。左右の側板部１２０，１３０および前板部１１０の厚みは略同じ厚みになっている。ランドセル本体２の左右側面上端はそれぞれ、ランドセル本体２の前面よりも上方に延びて曲面形状になっており、それに応じて左右の側板部１２０，１３０は前板部１１０よりも上下幅を大きくすることができる。左右の側板部１２０，１３０の内側面（ランドセル本体２に接する面）にはそれぞれ、当該内側面の略全体に亘って周縁部よりも低くなった第４凹部１２１，１３１が形成されている。（肉盗み）この第４凹部１２１，１３１内に、格子状の補強リブ１２５，１３５が形成されている。このように第４凹部１２１，１３１内に形成された補強リブ１２５，１３５により、左右の側板部１２０，１３０の強度および弾性が強められ、左右の側板部１２０，１３０が補強されている。このように第４凹部１２１，１３１が形成されるため、左右の側板部１２０，１３０の外側面には第４凹部１２１，１３１に対応した凸部が形成されている。
【００２９】
さらに、ランドセル本体２の内部底面には、樹脂製、より正確には硬質合成樹脂製の底板部材２００が配設されている（図１を参照）。底板部材２００は、図１１および図１２に示すように、ランドセル本体２の内部底面の略全体を覆う大きさの薄板形状になっている。底板部材２００の下面（ランドセル本体２に接する面）には、当該下面の略全体に亘って周縁部よりも低くなった凹部２０５が形成されている（肉盗み）。その凹部２０５内に、ハニカム構造（正六角形状）の補強リブ２１０が一体形成されている。補強リブ２１０の高さは、凹部２０５の深さと同じ寸法になっており、補強リブ２１０の端部と底板部材２００の下面周縁部とが面一の状態（フラットな状態）になっている。補強リブ２１０の幅寸法は、底板部材２００において必要な強度に応じて設定されている。
【００３０】
凹部２０５の略中央には、四角形枠状の枠状壁部２１５が形成されている。上記のように錠前装置１０をランドセル本体２の底面に取り付けると、本体プレート１１の裏面から突出した機構収容壁部１１ｂがランドセル本体２内に入り込んだ状態となる（図１を参照）。そのときに、底板部材２００をランドセル本体２内に配設すると、枠状壁部２１５内
に機構収容壁部１１ｂが挿入され、枠状壁部２１５が機構収容壁部１１ｂの周囲を囲むようになっている。枠状壁部２１５の高さは、補強リブ２１０の高さおよび凹部２０５の深さと略同じ寸法になっている。また、後述する凹部２２０の表面側も、補強リブ２１０の高さおよび凹部２０５の深さと略同じ寸法で突出し、座面として機能する。
【００３１】
底板部材２００の上面（凹部２０５の裏面であり、周縁部を除く略全体の面）は、ランドセル内部の底面を構成するものであり、フラットに形成されている。底板部材２００の上面には、左右２個の円形状の凹部２２０（ザグリ穴）が形成され、それらの凹部２２０の底面に上下貫通したピン挿通孔２２５が形成されている。錠前装置１０をランドセル本体２に取り付けるときの取付ピン１８，１８（図４を参照）の先端側が、ランドセル本体２の内部底面に配設された底板部材２００のピン挿通孔２２５に挿入され、それらの取付ピン１８の先端部をかしめることにより底板部材２００がランドセル本体２内において固定されるようになっている。このとき取付ピン１８の先端部（かしめ部）が、凹部２２０内に入り込んだ状態となり、底板部材２００の上面より上方に突出しないようになっている。
【００３２】
次に、ランドセル１の組み立て手順について簡単に説明する。ランドセル１では、先ず、図６に示すように、ランドセル本体２の左右側面部２ｂ，２ｃおよび底面部２ｅを成す第１ボードＢ１の樹脂製の板材の外面に、ＥＶＡ樹脂（エチレンビニルアセテート）製のシートを張り付けて芯材をつくり、そのシートの上に、ランドセル本体２および蓋部材３の表面の生地と同じ材質の第１生地Ｍ１を貼り付け、縫い付ける。そして、その第１ボードＢ１を折り曲げてランドセル本体２の左右側面部２ｂ，２ｃおよび底面部２ｅを形成する。その一方で、ランドセル本体２の前面部２ａを成す樹脂製の第２ボードＢ２（芯材）の前面上端側に、第２ボードＢ２の左右端まで延びる第２生地Ｍ２（第１生地Ｍ１等と同じ材質の生地）を貼り付け、縫い付ける。そして、その第２ボードＢ２の前面下側に、予め形成された収納部５および前ポケット６のユニットを貼り付ける。
【００３３】
このように貼り合わせた第１および第２ボードＢ１，Ｂ２の上端側に、補強板１００を貼り付け、さらにその補強板１００の表面を覆い隠すように第３生地Ｍ３（第１生地Ｍ１等と同じ材質の生地、図１および図５を参照）を貼り合せ、強化部材１５０を避けるようにして縫い付ける。このとき、補強板１００は、前板部１１０に強化部材１５０が挿着され、且つ左右の側板部１２０，１３０を前板部１１０に対して略９０度折り曲げた状態で貼り付けられる。前板部１１０は第２生地Ｍ２の表面に張り付けられる。なお、この実施の形態においては、前板部１１０を第２生地Ｍ２上に重ねて取り付ける場合を示したが、第２ボードＢ２の芯材上に直接重ねて取り付けることも可能である。次に、第１および第２ボードＢ１，Ｂ２の内面に内張りを貼り付け、第１および第２ボードＢ１，Ｂ２の外側において前締ベルト２０を取り付ける。なお、この実施の形態において、内張りの貼り付けは、第１ボードＢ１の底面部２ｅに対応する領域を除いてなされる。さらに、第１ボードＢ１の後面側に、予め組み付けられた背当て２ｄ、蓋部材３（かぶせ）および左右の肩ベルト４のユニットを貼り付け、縫い付ける。そして、ランドセル本体２の内部底面に底板部材２００を設置し、上記のように錠前装置１０をランドセル本体２の底面部２ｅに取り付け、左右の肩ベルト４の下ベルト４ｂを下部金具９（ダルマカン）に取り付ける。このようにしてランドセル１は組み立てられるようになっている。
【００３４】
以上のように構成されるランドセル１によれば、補強板１００の前板部１１０に、左右方向に延びて設けられるグラスファイバー製の強化部材１５０を有している。そのため、ランドセル本体２の前面側に収納部５（中マチ）が配設され、その上方の限られたスペースに配設される前板部１１０であっても、前板部１１０の上下幅や厚みを大きくすることなく、当該強化部材１５０により前板部１１０の強度を強くすることができる。従って、大容量に構成されたランドセル本体２においても、ランドセル本体２の潰れを防ぐことが
できる。また、当該強化部材１５０がグラスファイバー製であるので、強化部材１５０により前板部１１０に適度な強度および弾性を加えることができ、ランドセル本体２をしなやかに綺麗な形状に保つことができる。さらに、グラスファイバーは軽量であるため、前板部１１０の重量が増えることも抑えることができる。
【００３５】
同様に、以上のランドセル１によれば、補強板１００の前板部１１０に形成された第１凹部１１１内に強化部材１５０が着脱可能に配設されている。そのため、潰れや型崩れに対する強度をピンポイントで高めることができる上に、縫製作業をあまり阻害することなく既存の高い製造効率を維持することができる。同時に、前板部１１０のランドセル本体２に接する面をフラットにすることができ（当該面に強化部材１５０による凸部が形成されることを防ぐことができ）、前板部１１０をランドセル本体２に取り付け易くすることができる。また、左右の側板部１２０，１３０の内側面（ランドセル本体２に接する面）に第４凹部１２１，１３１が形成され、その第４凹部１２１，１３１の内に格子状の補強リブ１２５，１３５が形成されている。そのため、左右の側板部１２０，１３０の上下幅や厚みを大きくすることなく、当該補強リブ１２５，１３５により左右の側板部１２０，１３０の強度を強くすることができる。さらに、左右の側板部１２０，１３０のランドセル本体２に接する面に補強リブ１２５，１３５が突出していないので、左右の側板部１２０，１３０をランドセル本体２に取り付け易くすることができる。
【００３６】
また、以上のランドセル１によれば、底板部材２００の下面にハニカム形状の補強リブ２１０が形成されている。そのため、底板部材２００の厚みや重量を大幅に大きくすることなく、当該補強リブ２１０により底板部材２００の強度を全面に渡ってほぼ均等に強くすることができる。従って、ページ数が増えて重量が増した教科書等の重量をしっかりと受け止めることができる強くて軽い底板部材２００とすることができる。また、底板部材２００の上面がフラットに形成されている。そのため、ランドセル本体２内に収納された教科書等が引っかかったり折れ曲がったりすることなく、使い勝手のよいランドセル１とすることができる。また、底板部材２００の下面に形成された枠状壁部２１５が、錠前装置１０の機構収容壁部１１ｂの周囲を囲むようになっている。そのため、底面部２ｅの厚さを抑えつつ、枠状壁部２１５により機構収容部１１ｂ内に外部から異物等が侵入することを防ぐことができ、当該異物等により錠前装置１０の作動機構が故障するリスクを軽減させることができる。
【００３７】
なお、上記実施形態では、補強板１００において、強化部材１５０がグラスファイバー製であると説明したが、強化部材１５０は、例えばカーボン製等、コストを考慮し、必要な強度および弾性に応じた材質に変更可能である。また、上記実施形態では、補強板１００の前板部１１０に１本の強化部材１５０を備える構成について説明したが、複数本の強化部材１５０を備える構成としてもよい。さらに、補強板１００では、前板部１１０のみに強化部材１５０を備える構成であるが、強化部材１５０と同様の補強用の棒状の強化部材を、左右の側板部１２０，１３０にほぼ水平姿勢で備える構成としてもよい。また、左右の側板部１２０，１３０には格子状の補強リブ１２５，１３５が形成されているが、補強リブ１２５，１３５は、格子状ではなく、例えばハニカム形状等、他のリブ形状に変更してもよい。
【００３８】
また、上記実施形態では、底板部材２００において、下面側にハニカム形状の補強リブ２１０が形成されているが、補強リブ２１０は、ハニカム形状ではなく、要求される強度に応じて例えば格子状等、他のリブ形状に変更することも可能である。また、補強リブ２１０の幅寸法は、底板部材２００において必要な強度に応じて適宜変更してもよい。さらに、底板部材２００における位置ごとに、補強リブ２１０の幅寸法を変更してもよい。例えば、特に重量が集中する位置に形成される補強リブ２１０の幅寸法を太くして当該位置の強度を強くしてもよい。また、上記実施形態では、ランドセル本体２内において底板部
材２００が取付ピン１８により固定されているが、取付ピン１８によって固定せずに、底板部材２００をランドセル本体２内に着脱自在に配設してもよい。
【符号の説明】
【００３９】
１    ランドセル
２    ランドセル本体
３    蓋部材
４    肩ベルト
１０  錠前装置
１１ｂ  機構収容壁部（突出部）
２００  底板部材
２１０  補強リブ
２１５  枠状壁部
【図１】
2020103505.tif 000003
【図２】
2020103505.tif 000004
【図３】
2020103505.tif 000005
【図４】
2020103505.tif 000006
【図５】
2020103505.tif 000007
【図６】
2020103505.tif 000008
【図７】
2020103505.tif 000009
【図８】
2020103505.tif 000010
【図９】
2020103505.tif 000011
【図１０】
2020103505.tif 000012
【図１１】
2020103505.tif 000013
【図１２】
2020103505.tif 000014